【手続補正書】
【提出日】令和1年10月31日(2019.10.31)
【手続補正１】
【補正対象書類名】特許請求の範囲
【補正対象項目名】全文
【補正方法】変更
【補正の内容】
【特許請求の範囲】
【請求項１】
フリット自体の組成として二酸化珪素が４０質量％以上６０質量％以下と、酸化ホウ素が１５質量％以上３５質量％以下と、酸化リチウム及び酸化ナトリウム及び酸化カリウムからなる群から選ばれる１種以上のアルカリ金属酸化物が１８質量％以下と、酸化リチウム及び酸化ナトリウムからなる群から選ばれる１種以上のアルカリ金属酸化物が４質量％以下と、酸化カリウムが５質量％以上と、が含まれるフリットと、
メタリック感を生じせしめる光輝顔料と、が含まれることを特徴とする上絵加飾材料。
【請求項２】
前記光輝顔料が０．１質量％以上９質量％以下含まれ、その余部が前記フリットであることを特徴とする請求項１に記載の上絵加飾材料。
【請求項３】
前記光輝顔料が０．１質量％以上９質量％以下と、光輝顔料でない顔料とが含まれ、その余部が前記フリットであることを特徴とする請求項１に記載の上絵加飾材料。
【請求項４】
前記光輝顔料が０．１質量％以上９質量％以下と、発色性の金属化合物とが含まれ、その余部が前記フリットであることを特徴とする請求項１に記載の上絵加飾材料。
【請求項５】
前記光輝顔料には、板状粒子、及び／又は酸化チタン、酸化鉄、酸化ケイ素、酸化スズ、及び酸化ジルコニウムからなる群から選ばれる１種以上の酸化物が被覆されてなる板状粒子が含まれることを特徴とする請求項１乃至請求項４のいずれか１項に記載の上絵加飾材料。
【請求項６】
前記板状粒子が、雲母、酸化ケイ素、酸化アルミニウム、ホウ珪酸ガラスからなる群から選ばれる１種以上であることを特徴とする請求項５に記載の上絵加飾材料。
【請求項７】
メタリック感を生じせしめる光輝顔料を０．１質量％以上９質量％以下含むガラス層を有し、
前記ガラス層には、二酸化珪素が４０質量％以上６０質量％以下と、酸化ホウ素が１５質量％以上３５質量％以下と、酸化リチウム及び酸化ナトリウム及び酸化カリウムからなる群から選ばれる１種以上のアルカリ金属酸化物が１８質量％以下と、酸化リチウム及び酸化ナトリウムからなる群から選ばれる１種以上のアルカリ金属酸化物が４質量％以下と、酸化カリウムが５質量％以上と、が含まれることを特徴とする陶磁器製品。
【請求項８】
前記ガラス層には、光輝顔料でない顔料が含まれることを特徴とする請求項７に記載の陶磁器製品。
【請求項９】
前記ガラス層には、発色性の金属化合物が含まれることを特徴とする請求項７又は請求項８に記載の陶磁器製品。
【請求項１０】
前記光輝顔料には、板状粒子、及び／又は酸化チタン、酸化鉄、酸化ケイ素、酸化スズ、及び酸化ジルコニウムからなる群から選ばれる１種以上の酸化物が被覆されてなる板状粒子が含まれることを特徴とする請求項７乃至請求項９のいずれか１項に記載の陶磁器製品。
【請求項１１】
前記板状粒子が、雲母、酸化ケイ素、酸化アルミニウム、ホウ珪酸ガラスからなる群から選ばれる１種以上であることを特徴とする請求項１０に記載の陶磁器製品。
【請求項１２】
前記ガラス層の表面の鏡面光沢度（Ｇｓ６０°）の値が６０以上であり、入射光角度−４５度での変角光度分布測定において受光角０°での視感反射率Ｙの値より受光角３０°の視感反射率Ｙの値が増加することを特徴とする請求項７乃至請求項１１のいずれか１項に記載の陶磁器製品。
【請求項１３】
フリット自体の組成として二酸化珪素が４０質量％以上６０質量％以下と、酸化ホウ素が１５質量％以上３５質量％以下と、酸化リチウム及び酸化ナトリウム及び酸化カリウムからなる群から選ばれる１種以上のアルカリ金属酸化物が１８質量％以下と、酸化リチウム及び酸化ナトリウムからなる群から選ばれる１種以上のアルカリ金属酸化物が４質量％以下と、酸化カリウムが５質量％以上と、が含まれるフリットと、メタリック感を生じせしめる光輝顔料と、が含まれる上絵加飾材料を調整する工程と、
前記上絵加飾材料が含まれたペーストを調整する工程と、
前記ペーストを基材に塗布する工程と、
前記基材を焼成する工程と、を有することを特徴とする陶磁器製品の製造方法。
【請求項１４】
フリット自体の組成として二酸化珪素が４０質量％以上６０質量％以下と、酸化ホウ素が１５質量％以上３５質量％以下と、酸化リチウム及び酸化ナトリウム及び酸化カリウムからなる群から選ばれる１種以上のアルカリ金属酸化物が１８質量％以下と、酸化リチウム及び酸化ナトリウムからなる群から選ばれる１種以上のアルカリ金属酸化物が４質量％以下と、酸化カリウムが５質量％以上と、が含まれるフリットと、メタリック感を生じせしめる光輝顔料と、光輝顔料でない顔料と、が含まれる上絵加飾材料を調整する工程と、
前記上絵加飾材料が含まれたペーストを調整する工程と、
前記ペーストを基材に塗布する工程と、
前記基材を焼成する工程と、を有することを特徴とする陶磁器製品の製造方法。
【請求項１５】
フリット自体の組成として二酸化珪素が４０質量％以上６０質量％以下と、酸化ホウ素が１５質量％以上３５質量％以下と、酸化リチウム及び酸化ナトリウム及び酸化カリウムからなる群から選ばれる１種以上のアルカリ金属酸化物が１８質量％以下と、酸化リチウム及び酸化ナトリウムからなる群から選ばれる１種以上のアルカリ金属酸化物が４質量％以下と、酸化カリウムが５質量％以上と、が含まれるフリットと、メタリック感を生じせしめる光輝顔料と、発色性の金属化合物と、が含まれる上絵加飾材料を調整する工程と、
前記上絵加飾材料が含まれたペーストを調整する工程と、
前記ペーストを基材に塗布する工程と、
前記基材を焼成する工程と、を有することを特徴とする陶磁器製品の製造方法。
【手続補正２】
【補正対象書類名】明細書
【補正対象項目名】０００９
【補正方法】変更
【補正の内容】
【０００９】
この発明は、上記のような課題を解決するものであって、本発明に係る上絵加飾材料は、例えば、フリット自体の組成として二酸化珪素が４０質量％以上６０質量％以下と、酸化ホウ素が１５質量％以上３５質量％以下と、酸化リチウム及び酸化ナトリウム及び酸化カリウムからなる群から選ばれる１種以上のアルカリ金属酸化物が１８質量％以下と、酸化リチウム及び酸化ナトリウムからなる群から選ばれる１種以上のアルカリ金属酸化物が４質量％以下と、酸化カリウムが５質量％以上と、が含まれるフリットと、メタリック感を生じせしめる光輝顔料と、が含まれることができる。
【手続補正３】
【補正対象書類名】明細書
【補正対象項目名】００１５
【補正方法】削除
【補正の内容】
【手続補正４】
【補正対象書類名】明細書
【補正対象項目名】００２２
【補正方法】変更
【補正の内容】
【００２２】
また、本発明に係る陶磁器製品の製造方法は、例えば、フリット自体の組成として二酸化珪素が４０質量％以上６０質量％以下と、酸化ホウ素が１５質量％以上３５質量％以下と、酸化リチウム及び酸化ナトリウム及び酸化カリウムからなる群から選ばれる１種以上のアルカリ金属酸化物が１８質量％以下と、酸化リチウム及び酸化ナトリウムからなる群から選ばれる１種以上のアルカリ金属酸化物が４質量％以下と、酸化カリウムが５質量％以上と、が含まれるフリットと、メタリック感を生じせしめる光輝顔料と、が含まれる上絵加飾材料を調整する工程と、前記上絵加飾材料が含まれたペーストを調整する工程と、前記ペーストを基材に塗布する工程と、前記基材を焼成する工程と、を有することできる。
【手続補正５】
【補正対象書類名】明細書
【補正対象項目名】００２３
【補正方法】変更
【補正の内容】
【００２３】
また、本発明に係る陶磁器製品の製造方法は、例えば、フリット自体の組成として二酸化珪素が４０質量％以上６０質量％以下と、酸化ホウ素が１５質量％以上３５質量％以下と、酸化リチウム及び酸化ナトリウム及び酸化カリウムからなる群から選ばれる１種以上のアルカリ金属酸化物が１８質量％以下と、酸化リチウム及び酸化ナトリウムからなる群から選ばれる１種以上のアルカリ金属酸化物が４質量％以下と、酸化カリウムが５質量％以上と、が含まれるフリットと、メタリック感を生じせしめる光輝顔料と、光輝顔料でない顔料と、が含まれる上絵加飾材料を調整する工程と、前記上絵加飾材料が含まれたペーストを調整する工程と、前記ペーストを基材に塗布する工程と、前記基材を焼成する工程と、を有することができる。
【手続補正６】
【補正対象書類名】明細書
【補正対象項目名】００２４
【補正方法】変更
【補正の内容】
【００２４】
また、本発明に係る陶磁器製品の製造方法は、例えば、フリット自体の組成として二酸化珪素が４０質量％以上６０質量％以下と、酸化ホウ素が１５質量％以上３５質量％以下と、酸化リチウム及び酸化ナトリウム及び酸化カリウムからなる群から選ばれる１種以上のアルカリ金属酸化物が１８質量％以下と、酸化リチウム及び酸化ナトリウムからなる群から選ばれる１種以上のアルカリ金属酸化物が４質量％以下と、酸化カリウムが５質量％以上と、が含まれるフリットと、メタリック感を生じせしめる光輝顔料と、発色性の金属化合物と、が含まれる上絵加飾材料を調整する工程と、前記上絵加飾材料が含まれたペーストを調整する工程と、前記ペーストを基材に塗布する工程と、前記基材を焼成する工程と、を有することができる。